(57)【要約】【課題】  本発明は、記憶媒体の着脱操作に応じて記憶媒体の信号を処理する回路への電源供給を制御して、消費電力を低減することが可能な電子機器及びその電源制御方法を提供する。【解決手段】  主電源部３１により電力供給されるテレビジョン受信機１０において、記憶媒体接続部１６からの記憶媒体１００の挿入が検出されると、システム制御回路２０からの切替制御信号に基づいて、記憶媒体信号処理回路用電源部３２は、記憶媒体信号処理回路１７への電源供給を開始する。この結果、記憶媒体処理回路１７は、記憶媒体接続部１６を介して、装着された記憶媒体１００から映像信号を読み取り、映像信号に所定の変換を施して、映像信号切替回路１２に出力することが可能となる。【選択図】  図４
2006024976.tif 000002
【特許請求の範囲】
【請求項１】
電源部からの電力供給により起動し、映像信号に関する所定の処理を実行する電子機器において、
少なくとも映像信号が記録された携帯型の記憶媒体を着脱可能な記憶媒体接続部と、
この記憶媒体接続部に装着された記憶媒体から読み出された映像信号に関する処理を実行する記憶媒体信号処理部と、
上記記憶媒体接続部への記憶媒体の装着あるいは取り出しを検出する検出手段と、
この検出手段によって記憶媒体の装着が検出されると、上記記憶媒体信号処理部に対して上記電源部から電力供給するよう制御し、上記検出手段によって記憶媒体の取り出しが検出されると、上記記憶媒体信号処理部に対して供給されていた上記電源部からの電力供給を遮断するよう制御する電源制御手段と、
を有することを特徴とする電子機器。
【請求項２】
電源部からの電力供給により起動し、映像信号に関する所定の処理を実行する電子機器において、
少なくとも映像信号が記録された携帯型の記憶媒体を着脱可能な記憶媒体接続部と、
この記憶媒体接続部に装着された記憶媒体から読み出された映像信号に関する処理を実行する記憶媒体信号処理部と、
外部から当該電子機器を起動させる指示が入力されると、上記記憶媒体接続部に記憶媒体が装着されているかを判定する判定手段と、
この判定手段によって記憶媒体が装着されていると判定されると、当該電子機器を立ち上げると共に上記記憶媒体信号処理部に対して上記電源部から電力供給するよう制御し、上記判定手段によって記憶媒体が装着されていないと判定されると、当該電子機器を立ち上げる一方で上記記憶媒体信号処理部に対する上記電源部からの電力供給を遮断するよう制御する電源制御手段と、
を有することを特徴とする電子機器。
【請求項３】
少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部とを有し、電源部からの電力供給により起動し、上記映像信号に関する所定の処理を実行する電子機器における電源制御方法において、
上記記憶媒体接続部への記憶媒体の装着あるいは取り出しを検出する検出ステップと、
この検出ステップによって記憶媒体の装着が検出されると、上記記憶媒体信号処理部に対して上記電源部から電力供給するよう制御し、上記検出ステップによって記憶媒体の取り出しが検出されると、上記記憶媒体信号処理部に対して供給されていた上記電源部からの電力供給を遮断するよう制御する制御ステップ、
を有することを特徴とする電源制御方法。
【請求項４】
少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部とを有し、電源部からの電力供給により起動し、上記映像信号に関する所定の処理を実行する電子機器における電源制御方法において、
外部から当該電子機器を起動させる指示が入力されると、上記記憶媒体接続部に記憶媒体が装着されているかを判定する判定ステップと、
この判定ステップによって記憶媒体が装着されていると判定されると、当該電子機器を立ち上げると共に上記記憶媒体信号処理部に対して上記電源部から電力供給するよう制御し、上記判定ステップによって記憶媒体が装着されていないと判定されると、当該電子機器を立ち上げる一方で上記記憶媒体信号処理部に対する上記電源部からの電力供給を遮断するよう制御する制御ステップと、
を有することを特徴とする電源制御方法。
【発明の詳細な説明】
【技術分野】
【０００１】
本発明は、着脱可能な携帯型の記憶媒体を装着可能な電子機器で、記憶媒体の着脱動作に連動して、記憶媒体の信号を処理する回路への電源の供給あるいは遮断を制御する電子機器及びその電源制御方法に関する。
【背景技術】
【０００２】
従来から、映像信号や音声信号を扱う電子機器においては、使用する度にユーザによる指示（手動）で電源を投入したり、電源を切ったりすることが煩わしいという問題が指摘されており、例えば、スタンバイ状態の際に、カードスロットにカードメモリが挿入されることにより、録画装置の主電源を自動的にオンとするシステムが考えられている（例えば、特許文献１参照）。
【特許文献１】特開２００１−１９７４１２公報
【発明の開示】
【発明が解決しようとする課題】
【０００３】
しかしながら、従来の装置では、カードの挿入に応答して自動的に装置全体の電源をＯＮ制御する点が開示されているが、装置全体の電源が投入されている場合には既にカードの信号を処理する回路にも電源投入されていることとなる。このような電源供給方法では、近年の記憶媒体を始めとする種々の装置と接続し、その信号を処理する回路を有する電子機器において、使用しない装置の信号を処理する処理回路まで電源供給されている状態となり、その分消費電力が高くなってしまうという問題がある。
【０００４】
本発明は、以上の点に鑑みなされたもので、記憶媒体の着脱操作に応じて記憶媒体の信号を処理する回路への電源供給を制御して、消費電力を低減することが可能な電子機器及びその電源制御方法を提供することを目的とする。
【課題を解決するための手段】
【０００５】
上記目的を達成するために、本発明の電子機器は、電源部からの電力供給により起動し、映像信号に関する所定の処理を実行する電子機器において、少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部と、上記記憶媒体接続部への記憶媒体の装着あるいは取り出しを検出する検出手段と、この検出手段によって記憶媒体の装着が検出されると、上記記憶媒体信号処理部に対して上記電源部から電力供給するよう制御し、上記検出手段によって記憶媒体の取り出しが検出されると、上記記憶媒体信号処理部に対して供給されていた上記電源部からの電力供給を遮断するよう制御する電源制御手段と、を有することを特徴とする。
【０００６】
上記目的を達成するために、本発明の電子機器は、電源部からの電力供給により起動し、映像信号に関する所定の処理を実行する電子機器において、少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部と、外部から当該電子機器を起動させる指示が入力されると、上記記憶媒体接続部に記憶媒体が装着されているかを判定する判定手段と、この判定手段によって記憶媒体が装着されていると判定されると、当該電子機器を立ち上げると共に上記記憶媒体信号処理部に対して上記電源部から電力供給するよう制御し、上記判定手段によって記憶媒体が装着されていないと判定されると、当該電子機器を立ち上げる一方で上記記憶媒体信号処理部に対する上記電源部からの電力供給を遮断するよう制御する電源制御手段と、を有することを特徴とする。
【０００７】
上記目的を達成するために、本発明の電源制御方法は、少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部とを有し、電源部からの電力供給により起動し、上記映像信号に関する所定の処理を実行する電子機器における電源制御方法において、上記記憶媒体接続部への記憶媒体の装着あるいは取り出しを検出する検出ステップと、この検出ステップによって記憶媒体の装着が検出されると、上記記憶媒体信号処理部に対して上記電源部から電力供給するよう制御し、上記検出ステップによって記憶媒体の取り出しが検出されると、上記記憶媒体信号処理部に対して供給されていた上記電源部からの電力供給を遮断するよう制御する制御ステップ、を有することを特徴とする。
【０００８】
上記目的を達成するために、本発明の電源制御方法は、少なくとも映像信号が記録された携帯型の記憶媒体を着脱可能な記憶媒体接続部と、この記憶媒体接続部に装着された記憶媒体から読み出された映像信号に関する処理を実行する記憶媒体信号処理部とを有し、電源部からの電力供給により起動し、上記映像信号に関する所定の処理を実行する電子機器における電源制御方法において、外部から当該電子機器を起動させる指示が入力されると、上記記憶媒体接続部に記憶媒体が装着されているかを判定する判定ステップと、この判定ステップによって記憶媒体が装着されていると判定されると、当該電子機器を立ち上げると共に上記記憶媒体信号処理部に対して上記電源部から電力供給するよう制御し、上記判定ステップによって記憶媒体が装着されていないと判定されると、当該電子機器を立ち上げる一方で上記記憶媒体信号処理部に対する上記電源部からの電力供給を遮断するよう制御する制御ステップと、を有することを特徴とする。
【発明の効果】
【０００９】
本発明によれば、記憶媒体の着脱操作に応じて記憶媒体の信号を処理する回路への電源供給を制御して、消費電力を低減することができる。
【発明を実施するための最良の形態】
【００１０】
以下、この発明の実施の形態について、図面を参照して詳細に説明する。図１は、この実施の形態に係る電子機器としてのテレビジョン受信機１０のブロック図である。図２は、テレビジョン受信機１０の外観の一例を示す図である。尚、本実施の形態では電子機器としてテレビジョン受信機を用いて説明するが、これに限らず、着脱可能な携帯型の記憶媒体を装着可能で、かつ映像信号を取り扱う電子機器であれば良い。
【００１１】
このテレビジョン受信機１０は、図１に示すように、アンテナ１１で受信したテレビジョン信号を映像信号切替回路１２に供給する。また、このテレビジョン受信機１０は、例えば図２に示すような外部機器接続部１３及び記憶媒体接続部１６とを有している。外部機器接続部１３は、映像信号を出力可能な図示しない外部機器を任意に接続可能とするもので、接続された外部機器から供給される様々な方式の映像信号を、外部機器信号処理回路１４を介して映像信号切替回路１２に供給する。
【００１２】
記憶媒体接続部１６は、例えばデジタルカメラに使用されるＳＤカードなどの、着脱可能な携帯型の記憶媒体１００を装着可能とするカードスロットから構成される。この記憶媒体接続部１６に記憶媒体１００が装着されると、記憶媒体接続部１６の図示せぬ接点を介して、後段に接続された記憶媒体信号処理回路１７は、装着された記憶媒体１００から映像信号を読み取り、所定の変換を施して、映像信号切替回路１２に供給している。
【００１３】
映像信号切替回路１２は、システム制御回路２０から出力される選択制御信号に基づいて、アンテナ１１、外部機器信号処理回路１４および記憶媒体信号処理回路１７から供給される映像信号を選択的に切り替えて、映像信号処理回路２１及び入力信号検出回路２２に出力する。
【００１４】
入力信号検出回路２２は、システム制御回路２０から出力される選択制御信号に基づいて、入力された映像信号の方式を検出して、映像信号処理回路２１に検出信号を出力する。映像信号処理回路２１は、映像信号切替回路１２から入力された映像信号に対して、入力信号検出回路２２の検出信号に基づいた変換処理を実行する。そして、映像信号処理回路２１で変換処理が施された映像信号は、出力フォーマット変換回路２３に供給され、所定の表示フォーマットに対応した形態に変換された後、ＣＲＴ等の表示部３０に供給されて映像表示される。
【００１５】
システム制御回路２０は、全体の処理動作を制御するもので、これらの動作を司るプログラムを格納したり、画像信号の各処理動作時に使用する図示せぬメモリを有している。主電源部３１は、テレビジョン受信機１０の各内部回路と接続されており、各回路を駆動するための電力を供給している。そして、ユーザからの図示せぬ入力部からの電源投入／遮断の指示入力に応じて、システム制御回路２０は、主電源部３１をＯＮ状態へ切り替え、テレビジョン受信機１０を起動させたり、ＯＦＦ状態へと切り替え、テレビジョン受信機１０をスタンバイ状態へと移行させる。
【００１６】
記憶媒体信号処理回路１７は、主電源部３１から、記憶媒体信号処理回路用電源部３２を介して電源が供給される。記憶媒体信号処理回路用電源部３２は、システム制御回路２０から供給される切替制御信号に基づいて、記憶媒体信号処理回路１７に対する電力供給ある遮断を制御するものである。
【００１７】
記憶媒体接続部１６には、記憶媒体検出回路３３が設けられている。この記憶媒体検出回路３３は、記憶媒体接続部１６に対する記憶媒体１００の装着あるいは取り外しを検出し、この検出信号をシステム制御回路２０へ出力するものである。システム制御回路２０は、この記憶媒体検出回路３３からの検出信号に基づいて、記憶媒体信号処理回路用電源部３２へ電力供給あるいは遮断を指示するための切替制御信号を出力し、後述するように、記憶媒体信号処理回路１７への電源の供給／遮断動作を制御することとなる。
【００１８】
次に、図３及び図４を用いて、電子機器における記憶媒体処理回路への電源制御の処理について説明する。図３は、主電源部３１の電源投入時の電源制御方法を示すフローチャート図である。図４は、主電源が投入された状態（すなわち待機状態）において、記憶媒体１００の着脱検出信号が出力された際の電源制御方法を示すフローチャート図である。
【００１９】
図３に示すように、ユーザからの図示せぬ入力部から電源投入の指示が入力されると（ステップＳＴ１１）、システム制御回路２０は、図示せぬ予備電源を用いて、記憶媒体検出回路３３からの検出信号に基づいて、記憶媒体接続部１６に記憶媒体１００が挿入されているかを判定する（ステップＳＴ１２）。
【００２０】
ＳＴ１２の判定の結果、記憶媒体１００が記憶媒体接続部１６に挿入されていると判定されると（ＳＴ１２のＹｅｓ）、システム制御回路２０は、主電源部３１をＯＮ状態とし、テレビジョン受信機１０全体の立ち上げを実行する。また同時に、システム制御回路２０は、記憶媒体信号処理回路用電源部３２へ電力供給を指示する切替制御信号を出力する。記憶媒体信号処理回路用電源部３２は、この切替制御信号に基づいて、記憶媒体信号処理回路１７へ電力を供給し、待機状態へと以降する（ステップＳＴ１３）。
【００２１】
ＳＴ１２の判定の結果、記憶媒体１００が記憶媒体接続部１６に挿入されていないと判定されると（ＳＴ１２のＮｏ）、システム制御回路２０は、主電源部３１をＯＮ状態とし、テレビジョン受信機１０全体の立ち上げを実行する。また同時に、システム制御回路２０は、記憶媒体信号処理回路用電源部３２へ電力遮断を指示する切替制御信号を出力する。
【００２２】
記憶媒体信号処理回路用電源部３２は、この切替制御信号に基づいて、記憶媒体信号処理回路１７への電力供給を遮断し（電力供給せず）、待機状態へと以降する（ステップＳＴ１４）。従って、主電源部３１をＯＮ状態へと切り替えて、記憶媒体処理回路１７は電力が供給されず、この結果、記憶媒体処理回路１７における待機電力は消費されない。
【００２３】
このように、ＳＴ１３による電力供給が行われ、待機状態となったテレビジョン受信機１０において、記憶媒体接続部１６からの記憶媒体１００の取り外しが検出されると（ステップＳＴ２１、ＳＴ２２のＮｏ）、システム制御回路２０は、記憶媒体信号処理回路用電源部３２へ電力遮断を指示する切替制御信号を出力する。記憶媒体信号処理回路用電源部３２は、この切替制御信号に基づいて、記憶媒体信号処理回路１７への電力を遮断する（電力供給しない）よう切替える（ステップＳＴ２３）。この結果、記憶媒体処理回路１７における待機電力は消費されない。
【００２４】
次に、図３におけるＳＴ１４による電力供給が行われ、待機状態となったテレビジョン受信機１０において、記憶媒体接続部１６からの記憶媒体１００の挿入が検出されると（ステップＳＴ２１、ＳＴ２２のＹｅｓ）、システム制御回路２０は、記憶媒体信号処理回路用電源部３２へ電力供給を指示する切替制御信号を出力する。
【００２５】
記憶媒体信号処理回路用電源部３２は、この切替制御信号に基づいて、記憶媒体信号処理回路１７への電力供給を開始するよう切替える（ステップＳＴ２４）。この結果、記憶媒体処理回路１７は、記憶媒体接続部１６を介して、装着された記憶媒体１００から映像信号を読み取り、映像信号に所定の変換を施して、映像信号切替回路１２に出力することが可能となる。
【００２６】
次に、図５は、電子機器としてのテレビジョン受信機１０の構成の他の実施の形態を示すブロック図である。尚、図１に示すブロック図と同様の機能ブロックには同じ番号を付与するとともに、当該機能ブロックの説明を省略する。
【００２７】
図５に示すテレビジョン受信機１０においては、図１に示すブロック図における記憶媒体信号処理回路用電源部３２の代わりに、記憶媒体信号処理回路用制御部４２として専用のマイコン（記憶媒体信号処理回路マイコン）が設けられている。その結果、他の回路とは、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を代表とするバスで接続されることとなり、バス通信で制御される。上述した電源制御方法については、同様に制御される。
【図面の簡単な説明】
【００２８】
【図１】本発明に係る電子機器としてのテレビジョン受信機１０の構成の一実施の形態を示すブロック図。
【図２】テレビジョン受信機１０の外観の一例を示す図。
【図３】主電源部３１の電源投入時の電源制御方法を示すフローチャート図。
【図４】主電源が投入された状態（待機状態）において、記憶媒体１００の着脱検出信号が出力された際の電源制御方法を示すフローチャート図。
【図５】電子機器としてのテレビジョン受信機１０の構成の他の実施の形態を示すブロック図。
【符号の説明】
【００２９】
１０    テレビジョン受信機
１６    記憶媒体接続部
１７    記憶媒体信号処理回路
２０    システム制御回路
３０    表示部
３１    主電源部
３２    記憶媒体信号処理回路用電源部
３３    記憶媒体検出回路
４２    記憶媒体信号処理回路用制御部（専用マイコン）
【図１】
2006024976.tif 000003
【図２】
2006024976.tif 000004
【図３】
2006024976.tif 000005
【図４】
2006024976.tif 000006
【図５】
2006024976.tif 000007